(57)【特許請求の範囲】
【請求項１】
情報を表示する画面を備える表示部と、
筒状を呈し、その上端部にて前記表示部を支持する支柱と、
前記支柱の下端部内に挿抜可能な筒状部を備え、前記支柱を支持する支持台とを有し、
前記支持台の前記筒状部から前記支柱を挿し替えることにより、前記表示部の前記画面が該筒状部の筒軸を中心とした複数の角度に向き得るように構成され、
前記支持台の前記筒状部は、前記表示部から前記支柱の筒内部を経て配線されるケーブルを導出するためのスリットを備えており、
前記スリットは、ケーブルの配線元が配された方向に開口していると共に、前記支持台の上端から下端まで連続していることを特徴とする表示装置。
【請求項２】
前記支柱は、筒軸方向において同一の高さ位置に、かつ、筒軸を中心とした前記複数の角度に対応した位置に設けられた複数の嵌合孔部または嵌合突起を備え、
前記支持台は、
前記筒状部に筒軸方向において前記支柱の前記複数の嵌合孔部または嵌合突起に対応した高さ位置に設けられた単一の嵌合突起または嵌合孔部と、
前記単一の嵌合突起または嵌合孔部が前記筒状部の筒軸に向けて押されたときに、該単一の嵌合突起または嵌合孔部が復帰する向きに該単一の嵌合突起または嵌合孔部を付勢する付勢部とを備え、
前記支持台の前記筒状部に前記支柱が差し込まれたときに、前記支持台の前記単一の嵌合突起または嵌合孔部が、前記支柱の前記複数の嵌合孔部または嵌合突起のいずれか１つと嵌合することにより、前記表示部の前記画面が複数の角度のいずれかの角度に保持されることを特徴とする請求項１に記載の表示装置。
【請求項３】
前記支持台の前記付勢部は、前記筒状部の上端部に対の切欠部を形成することによって該切欠部間に形成された片持ちバネ形状を呈し、
前記単一の嵌合突起または嵌合孔部は、前記付勢部の片持ちバネ形状の変位端付近に形成され、
前記付勢部と前記単一の嵌合突起または嵌合孔部とは、前記支持台の前記筒状部と共に一体かつ単一の部材であることを特徴とする請求項２に記載の表示装置。
【請求項４】
前記支持台は、前記筒状部の筒軸方向における下端部に、前記表示部から前記支柱の筒内部を経て配線されるケーブルを導出するための開口部を備えていることを特徴とする請求項１乃至３のいずれか一項に記載の表示装置。
【請求項５】
前記支持台は、前記筒状部の下端に結合すると共に、該支持台を他装置に装着するためのネジ止め用孔部を備えた基部をさらに有することを特徴とする請求項１乃至４のいずれか一項に記載の表示装置。
【請求項６】
前記表示部は、前記支柱に対して回動可能に構成されている請求項１乃至５のいずれか一項に記載の表示装置。
【請求項７】
前記表示部は、前記支柱に対して１８０度以上かつ３６０度未満の範囲で回動可能であり、
前記支柱を前記支持台に対して差し替えることによって前記支持台に対して前記支柱が方向付けられる複数の角度と、前記表示部が前記支柱に対して回動可能な１８０度以上かつ３６０度未満の範囲とを併せて、前記表示部が前記支持台に対して３６０度以上回動可能に構成されていることを特徴とする請求項６に記載の表示装置。
【請求項８】
請求項１乃至７のいずれか一項に記載の表示装置を有することを特徴とするＰＯＳ端末装置。
【請求項９】
情報を表示する画面を備える店員用表示装置と、
前記表示装置によって構成される顧客用表示装置とを有し、
前記顧客用表示装置は、前記支持台の前記筒状部から前記支柱を挿し替えることにより、前記表示部の前記画面が少なくとも前記店員用表示装置の前記画面と反対の方向ならびに同一の方向に向き得るように構成されていることを特徴とする請求項８に記載のＰＯＳ端末装置。
【発明の詳細な説明】
【技術分野】
【０００１】
本発明は、ＰＯＳ端末装置等の電子機器に適用される表示装置に関する。
【背景技術】
【０００２】
ＰＯＳ（Point Of Sales）端末装置のうち、例えば店舗の精算に用いられるものは、オペレータ（店員）に向けて情報を表示する表示装置に加え、主に取引中の顧客に対して情報を表示する顧客用表示装置（以後、単に表示装置とも呼ぶ）を備えるものがある。
【０００３】
この顧客用表示装置は例えば、ＶＦＤ（Vacuum Fluorescent Display）等のディスプレイデバイスを有する表示部と、ＰＯＳ端末装置本体に取り付けられ、表示部がＰＯＳ端末装置本体の上方に位置するように支持する支柱とを有している。尚、ＰＯＳ端末装置の電子回路等と表示部のディスプレイデバイスとは、支柱の内部に収容されるケーブルによって電気的に接続される。
【０００４】
顧客用表示装置は、ＰＯＳ端末装置をカウンター等の上に設置した後に、その表示部を顧客が画面を見易い水平方向の角度（以後、単に角度とも呼ぶ）に変更する必要が生じる場合がある。
【０００５】
この種の顧客用表示装置は、例えば特許文献１に開示されている。特許文献１には、支持軸を回動可能とする構造のキャッシュレジスタの回転表示装置が開示されている。
【先行技術文献】
【特許文献】
【０００６】
【特許文献１】特開平１０−０２７２８３号公報
【発明の概要】
【発明が解決しようとする課題】
【０００７】
顧客用表示装置は、基本的には店員側と対向する顧客側に表示画面が向けられる。しかし、店舗内のＰＯＳ端末装置の設置形態によっては、通常の顧客側の方向と反対の（１８０度異なる）店員側の方向に近い方向にいる顧客に向けて情報を表示することが必要とされる場合がある。
【０００８】
表示部を通常の顧客側と反対向きの店員側の方向に近い方向にも向けられるようにするためには、表示部を支柱に対して３６０度以上の範囲で回動可能に構成する必要がある。しかし、コスト上や構造上の理由などから、表示部に３６０度以上の回動範囲を持たせることが困難な場合がある。
【０００９】
本発明は、上記事情に鑑みてなされたものであり、その目的は、３６０度未満の回動しかできない表示部を有する場合であっても、３６０度以上回動可能な場合と同様に表示部を任意の方向に向けることができる表示装置を提供することである。
【００１０】
本発明の目的はまた、上記表示装置を有するＰＯＳ端末装置を提供することである。
【課題を解決するための手段】
【００１１】
本発明によれば、情報を表示する画面を備える表示部と、筒状を呈し、その上端部にて前記表示部を支持する支柱と、前記支柱の下端部内に挿抜可能な筒状部を備え、前記支柱を支持する支持台とを有し、前記支持台の前記筒状部から前記支柱を挿し替えることにより、前記表示部の前記画面が該筒状部の筒軸を中心とした複数の角度に向き得るように構成されていることを特徴とする表示装置が得られる。
【００１２】
また、本発明によれば、前記表示装置を有することを特徴とするＰＯＳ端末装置が得られる。
【発明の効果】
【００１３】
本発明によれば、３６０度未満の回動しかできない表示部を有する場合であっても、３６０度以上回動可能な場合と同様に表示部を任意の方向に向けることができる表示装置が得られる。
【図面の簡単な説明】
【００１４】
【図１】本発明の実施形態による表示装置が適用されたＰＯＳ端末装置の斜視図であり、顧客用表示装置が顧客側に向けられた状態を示す。
【図２】本発明の実施形態による表示装置が適用されたＰＯＳ端末装置の斜視図であり、顧客用表示装置が店員側に向けられた状態を示す。
【図３】図１に示されたＰＯＳ端末装置からカバー類ならびに顧客用表示装置の一部を取り外した状態を示す斜視図である。
【図４】（ａ）〜（ｃ）は、図１に示された表示装置（顧客用表示装置）の使用方法を説明するための斜視図である。
【図５】（ａ）および（ｂ）は、図１に示された表示装置における支持台を示す斜視図である。
【図６】（ａ）〜（ｆ）は、図１に示された表示装置における支持台を示す六面図である。
【図７】（ａ）および（ｂ）は、図１に示された表示装置における表示部の回動に関する構造を説明するための概念図であり、（ａ）は表示部を顧客側に向けた状態を示し、（ｂ）は表示部を店員側に向けた状態を示す。
【発明を実施するための形態】
【００１５】
本発明による表示装置は、情報を表示する画面を備える表示部と、筒状を呈し、その上端部にて表示部を支持する支柱と、支柱の下端部内に挿抜可能な筒状部を備え、支柱を支持する支持台とを有している。支持台の筒状部から支柱を挿し替えることにより、表示部の画面が筒状部の筒軸を中心とした筒軸を中心とした複数の角度（以下の例では、対向する二方向）に向き得るように構成されている。
【００１６】
上記構成により、本表示装置は、３６０度未満の回動しかできない表示部を有する場合であっても、３６０度以上回動可能な場合と同様に表示部を任意の方向（任意の角度）に向けることができる。
【００１７】
このため、例えば、ＰＯＳ端末装置等の電子機器の既存の機種に具備されている、３６０度未満の回動範囲で既に設計済みや製造済みである表示部を、新機種に流用した場合であっても、実質的に３６０度以上の回動範囲を実現することができる。その結果、部品の共通化を図ることができる。
【００１８】
以下、図面を参照して、本発明による表示装置のより具体的な実施形態を説明する。
【００１９】
図１に示されるように、本発明の実施形態の表示装置３０は、顧客用表示装置として、ＰＯＳ端末装置に適用可能である。図１に示されたＰＯＳ端末装置は、ＰＯＳ端末装置本体１０と、店員に向けて情報を表示する画面を備える店員用表示装置と、しての表示装置２０と、表示装置３０によって構成される顧客に向けて情報を表示する画面を備えた表示部３１を有する顧客用表示装置としての表示装置３０とを有している。本例において、表示装置２０は、タッチパネル付きの液晶ディスプレイを表示デバイスとして有している。また、表示装置３０は、ＶＦＤをディスプレイデバイスとして有している。
【００２０】
図１は、本表示装置３０の表示部３１の画面が顧客側に向けられた状態を示している。一方、図２は、本表示装置３０の表示部３１の画面３１Ａが店員側に向けられた状態を示している。
【００２１】
図３に示されるように、ＰＯＳ端末装置本体１０は、それぞれ取り外し可能なメインカバー１２と、リアカバー１３と、フロントカバー１４とによってカバーされている。メインカバー１２、リアカバー１３およびフロントカバー１４はいずれも、爪と孔部やダボと孔部等の嵌合構造によってＰＯＳ端末装置本体１０のフレーム１１等に固定されており、特別な工具を使用することなく容易に取り外すことができる。
【００２２】
表示装置３０は、表示部３１と、支柱３２と、支持台３３とを有している。表示部３１は、情報を表示する画面３１Ａを備えている。支柱３２は、筒状を呈し、その上端部にて表示部３１を支持する。支持台３３は、支柱３２の下端部内に挿抜可能である筒状部を備え、支柱を支持する。
【００２３】
尚、本例において、支柱３２ならびに支持台３３の筒状部はどちらも円筒状を呈しているが、三角や四角等の多角形断面の筒状であってもよい。ただし、支柱ならびに支持台の筒状部を多角形断面の筒状とした場合は、後述する支柱を支持台から差し替えることによって選択的に向けられる水平角度が、飛び飛びの限られた角度となる。
【００２４】
また、本例において、表示部３１は、支柱３２に対して回動可能に構成されている。具体的には、左１３５度＋右１３５度＝合計２７０度の範囲で回動可能である。
【００２５】
本表示装置３０は、図３から明らかなように、支持台３３の筒状部から支柱３２を挿し替えることにより、表示部３１の画面３１Ａが顧客側方向および店員側方向の二方向に向き得るように構成されている。尚、図３においては、後述するケーブルの図示を省略している。
【００２６】
ここで、図７（ａ）および（ｂ）を併せ参照すると、支柱３２を支持台３３に対して差し替えることによって表示部３１が顧客側に向けられたとき（図７（ａ））の表示部３１の支柱３２に対する回動範囲α（２７０度）と、支柱３２を支持台３３に対して差し替えることによって表示部３１が店員側に向けられたとき（図７（ｂ））の表示部３１の支柱３２に対する回動範囲β（２７０度）とを併せると、表示部３１は、支持台３３に対して３６０度以上回動可能である。
【００２７】
図４（ａ）〜（ｃ）に示されるように、支柱３２は、筒軸方向において同一の高さ位置に、かつ、筒軸を中心とした対向する二方向に対応した位置に設けられた第１の嵌合孔部３２３Ａおよび第２の嵌合孔部３２３Ｂを備えている。
【００２８】
一方、図５（ａ）および（ｂ）ならびに図６（ａ）〜（ｆ）に示されるように、支持台３３は、本例ではＡＢＳ（Acrylonitrile Butadiene Styrene）樹脂等の樹脂製であり、略板状の基部３３１と、基部３３１の板面上に一体に形成された筒状部３３６と、単一の嵌合突起３３８と、付勢部として機能する舌片３３７とを備えている。尚、支持台３３は、樹脂に代えて亜鉛メッキ鋼板、アルミニウム、ステンレススチール等の金属製であってもよい。
【００２９】
基部３３１上の筒状部３３６の付け根には、放射状に複数のリブが設けられている。これらリブは、筒状部３３６を補強する働きの他に、筒状部３３６に嵌められた支柱３２を支持する働きもなす。
【００３０】
嵌合突起３３８は、筒状部３３６に筒軸方向において支柱３２の第１の嵌合孔部３２３Ａおよび第２の嵌合孔部３２３Ｂに対応した高さ位置に設けられている。
【００３１】
舌片３３７は、嵌合突起３３８が筒状部３３６の筒軸に向けて押されたときに、これが復帰する向きに嵌合突起３３８を付勢する付勢部として機能する。舌片３３７は、筒状部３３６の上端部に対のスリットを形成することによってスリット間に形成された片持ちバネ形状を呈している。嵌合突起３３８は、舌片３３７の変位端付近に形成されている。つまり、舌片３３７と嵌合突起３３８とは、支持台３３の筒状部３３６と共に一体かつ単一の部材である。ただし、付勢部や嵌合突起は、支持台の筒状部と別部材であってもよい。
【００３２】
そして、支持台３３の筒状部３３６に支柱３２が差し込まれたときに、支持台３３の嵌合突起３３８が、支柱の第１の嵌合孔部３２３Ａおよび第２の嵌合孔部３２３Ｂのどちらかと嵌合することにより、表示部３１（図１〜図３）の画面が顧客側または店員側のどちらかの角度に保持される。
【００３３】
本例において、図１および図７（ａ）のごとく表示部３１の画面が顧客側に向けられたときは、第１の嵌合孔部３２３Ａに嵌合突起３３８が入り込むことにより、支柱３２の角度が保持される。他方、図２および図７（ｂ）のごとく表示部３１の画面が店員側に向けられたときは、第２の嵌合孔部３２３Ｂに嵌合突起３３８が入り込むことにより、支柱３２の角度が保持される。
【００３４】
このように支柱の回動が規制されることにより、本例のごとく表示部が支柱に対して回動可能に構成されている場合、表示部を回動させるときに支柱が一緒に回動してしまうことがない。これにより、ユーザは、一方の手で支柱を押さえつつ、他方の手で表示部を回動させるといった煩わしい作業を強いられることなく、片手のみで表示部を回動させることができる。
【００３５】
また、この嵌合により、水平角度の保持だけではなく、支柱３２が支持台３３の筒状部３３６から不用意に抜かれてしまうことも防止される。
【００３６】
尚、支柱に設ける嵌合孔部は、本例のごとく対向する二箇所に限らず、表示部を保持すべき角度に応じて３箇所以上の嵌合孔部を設けてもよい。
【００３７】
また、本例とは逆に、支柱の筒内周面上に複数の嵌合突起を設ける一方、支持台の筒状部に単一の嵌合孔部と、単一の嵌合孔部が筒状部の筒軸に向けて押されたときに、これが復帰する向きに単一の嵌合孔部を付勢する付勢部とを設けてもよい。
【００３８】
支持台３３はまた、筒状部３３６に、表示部から支柱３２の筒内部を経て配線されるケーブル３６（図４）を導出するためのスリット３３９（図５）を備えている。尚、支持台３３は、筒状部３３６の筒軸方向における下端部に、表示部から支柱の筒内部を経て配線されるケーブルを導出するための開口部を備えていてもよい。本例においては、スリット３３９に加え、この開口部も有している。ただし、この開口部から先は、ＰＯＳ端末装置本体１０のフレーム１１（図３）によって塞がれている。
【００３９】
尚、スリット３３９を設けるのは、以下の理由による。本発明の構造は、表示部を支持した支柱を支持台から引き抜いた後、表示部の向きを変えて支持台に戻す構造である。表示部にはＰＯＳ端末装置本体内の電子回路等と接続するケーブル３６（図４）が接続されており、表示部を支持した支柱を引き上げるためには、引き上げ代に応じたケーブル３６の余長が必要である。そのため、通常は、支持台３３の下に、そのケーブルの余長を収容しておくためのスペースが必要である。これに対し、本例のごとくスリットを設けることにより、支持台３３の下にケーブル３６の余長を収容しておくためのスペースを確保する必要がなく、その分、装置サイズを小型化することができる。また、本例のごとくスリットを配線元（本例では、ＰＯＳ端末装置の電子回路等）が配された方向に開口させることにより、ケーブル長を最短とすることができる。尚、スリットは、支持台の上端から下端まで連続するものであってもよい。
【００４０】
支持台３３はさらに、その基部３３１に、支持台３３をＰＯＳ端末装置のフレーム１１に固定するための４箇所のネジ止め用孔部３３３と、スリット３３９からＰＯＳ端末装置に向かって導出されるケーブル３６（図４）を保持するケーブル押さえ３３４とを備えている。尚、ケーブル押さえ３３４は、必ずしも備えなくともよい。
【００４１】
以上説明した本表示装置３０においては、次のようにして、表示部３１の画面３１Ａが顧客側に向いた状態から表示部３１の画面３１Ａが店員側に向いた状態に変更される。
【００４２】
図１および図７（ａ）に示されるように表示部３１の画面３１Ａが顧客側に向けられている状態であるとする。このとき、嵌合突起３３８は、第１の嵌合孔部３２３Ａに入り込んでいる。
【００４３】
まず、以下の（１）〜（３）のようにして、表示部３１と一体の支柱３２が、支持台３３から引き上げられる。
【００４４】
（１）フロントカバー１４が取り外された後、メインカバー１２が取り外され、リアカバー１３が取り外される。ただし、リアカバー１３は、フレーム１１から取り外された後に、図３に示されるように支柱３２の上方に移動させた状態が維持されつつ、以下の作業がなされる。
【００４５】
（２）図４（ｂ）に示されるように、ケーブル３６が、ケーブル押さえ３３４下から取り出されてケーブル押さえ３３４上に載せられる。このとき、ケーブル３６は、筒状部３３６に形成されたスリットを横切ったままである。
【００４６】
（３）続いて、支柱３２の嵌合孔部３２３Ａに入り込んでいる嵌合突起３３８が、必要に応じて金属等の固い棒状のものを用いて押し込まれつつ、表示部３１と一体の支柱３２が、引き上げられる。これは、図４（ｃ）に示される状態である。このときも依然として、ケーブル３６は、筒状部３３６に形成されたスリット３３９を横切ったままである。
【００４７】
次に、引き上げられている表示部３１と一体の支柱３２が画面３１Ａが店員側を向くように回動（反転）された後、支柱３２の下端が支持台３３の筒状部３３６に差し込まれる。
【００４８】
支柱３２が支持台３３のリブ上に載るまで差し込まれると、嵌合突起３３８がクリック感を発生すると共に第２の嵌合孔部３２３Ｂに入り込む。尚、周方向に位置ズレがある場合には、支柱３２が時計回りおよび半時計周りに回動されることにより、嵌合突起３３８がクリック感を発生すると共に第２の嵌合孔部３２３Ｂに入り込む。
【００４９】
この後、ケーブル３６がケーブル押さえ３３４下に収められる。さらに、リアカバー１３、メインカバー１２、フロントカバー１４がこの順でＰＯＳ端末装置本体１０に取り付けられる。
【００５０】
以上のようにして、図２および図７（ｂ）に示されるように表示部３１の画面３１Ａが店員側に向けられた状態に変更される。
【００５１】
この後、必要に応じて、画面３１Ａが最適な方向を向くように、表示部３１が支柱３２に対して回動される。
【産業上の利用可能性】
【００５２】
以上、実施形態を参照して本発明を説明したが、本発明の構成や詳細については、当業者が理解し得る様々な変更を加えることができる。
【００５３】
例えば、本発明は、ＰＯＳ端末装置に限らず、表示画面を任意の方向に向ける必要がある表示装置ならびにそのような表示装置を有する電子機器全般に適用可能である。
【符号の説明】
【００５４】
１０      ＰＯＳ端末装置本体
１１      フレーム
１２      メインカバー
１３      リアカバー
１４      フロントカバー
２０      表示装置（店員用表示装置）
３０      表示装置（顧客用表示装置）
３１      表示部
３１Ａ    画面
３２      支柱
３２３Ａ  第１の嵌合孔部
３２３Ｂ  第２の嵌合孔部
３３      支持台
３３１    基部
３３３    ネジ止め用孔部
３３４    ケーブル押さえ
３３６    筒状部
３３７    舌片
３３８    嵌合突起
３３９    スリット
３６      ケーブル
【要約】
【課題】３６０度未満の回動しかできない表示部を有する場合であっても、３６０度以上回動可能な場合と同様に表示部を任意の方向に向けることができる表示装置を提供する。
【解決手段】本発明による表示装置は、情報を表示する画面を備える表示部３１と、筒状を呈し、その上端部にて表示部３１を支持する支柱３２と、支柱３２の下端部内に挿抜可能な筒状部を備え、支柱３２を支持する支持台３３とを有している。支持台３３の筒状部から支柱３２を挿し替えることにより、表示部３１の画面が筒状部の筒軸を中心とした複数の角度に向き得るように構成されている。
【選択図】図３【図１】
0005858501.tif 000002
【図２】
0005858501.tif 000003
【図３】
0005858501.tif 000004
【図４】
0005858501.tif 000005
【図５】
0005858501.tif 000006
【図６】
0005858501.tif 000007
【図７】
0005858501.tif 000008